(57)【要約】【課題】  特に長尺な枠材のパネル取付溝に対する取り付けが容易なグレイジングチャンネルを提供することにある。【解決手段】  上下方向あるいは左右方向に一列に連結した複数のパネル構成部材１，２を備えており、隣接する一方のパネル構成部材１の一方側壁部３は、他方のパネル構成部材２と突き合わせる側に円弧状の溝部５を有すると共に、他方側壁部４の他方のパネル構成部材２と突き合わせる側には、突出した一方の突出片７を設けてあり、一方の突出片７の他方側面Ｑの先端部には係合部９を有し、隣接する他方のパネル構成部材２の一方側壁部３は、前記溝部５に係合する円弧状の突起部６を有すると共に、突出した他方の突出片８を設けてあり、他方の突出片８の一方側面Ｐには、前記係合部９が係合する被係合部１０を有しており、一方のパネル構成部材１と他方のパネル構成部材２とが溝部５と突起部６の係合箇所Ｒを軸として回転し、係合部９と被係合部１０とが係合するように形成してある。【選択図】      図１
2009002024.tif 000002
【特許請求の範囲】
【請求項１】
上下方向あるいは左右方向に一列に連結した複数のパネル構成部材（１，２）を備えており、
パネル構成部材（１，２）は、表示方向の一方側に位置する一方側壁部（３）と他方側に位置する他方側壁部（４）と一方側壁部（３）と他方側壁部（４）とをつなぐ小口側壁部（１１ａ，１１ｂ）とを有し、
隣接する一方のパネル構成部材（１）の一方側壁部（３）は、他方のパネル構成部材（２）と突き合わせる側の端縁部に円弧状の溝部（５）を有すると共に、他方側壁部（４）の他方のパネル構成部材（２）と突き合わせる側の端縁部の他方側面（Ｑ）に係合部（９）を有しており、
隣接する他方のパネル構成部材（２）の一方側壁部（３）は、前記溝部（５）に係合する円弧状の突起部（６）を有すると共に、他方側壁部（４）の一方側面（Ｐ）に前記係合部（９）が係合する被係合部（１０）を有しており、
一方のパネル構成部材（１）と他方のパネル構成部材（２）とが溝部（５）と突起部（６）の係合箇所（Ｒ）を軸として回転し、係合部（９）と被係合部（１０）とが係合するように形成してあることを特徴とする表示パネル。
【請求項２】
隣接する一方のパネル構成部材（１）および他方のパネル構成部材（２）の各々の他方側壁部（４）には、小口側壁部（１１ａ，１１ｂ）よりも、隣接するいずれかのパネル構成部材（１、２）側に向けて突出した突出片（７、８）をそれぞれ設けてあり、
係合部（９）は、一方の突出片（７）の一方側面（Ｐ）の先端部に設けてあり、被係合部（１０）は、他方の突出片（８）の他方側面（Ｑ）の中間部に設けてあることを特徴とする請求項１記載の表示パネル。
【発明の詳細な説明】
【技術分野】
【０００１】
本発明は、例えば道路標識や店舗看板、各種案内パネルに適用する表示パネルに関し、特に中空押し出し形材により構成する表示パネルに関するものである。
【背景技術】
【０００２】
一般的な道路標識用の表示パネルは、アルミ平板に横補強材をスポット溶接にて固着するものであったが、溶接工程が必要であったため、誰しもが容易に携わることはできなかった。さらに、複数のアルミ形材を骨組みして各々の接合箇所をボルト締めし、工場等である程度組み立てたものを現場に搬送する手法もとられたが、表示パネルが金属製の形材により組まれたものであることから、重量が嵩んで搬送にかかる労力が大きくなる問題もあった。そこで、表示パネルを複数のパネル構成部材に分けると共に、各パネル構成部材を係合可能に形成したものが登場したが、現場での組み立てが容易になった反面、各パネル構成部材の係合状態が十分に保たれないなど、いまだ問題点が解消されていないのが現状である。
【特許文献１】特開２００４−１２４６９９
【発明の開示】
【発明が解決しようとする課題】
【０００３】
本発明は以上に述べたような実情に鑑み、搬送および現場での組み立てが容易であり、各パネル構成部材の係合状態も十分に確保される表示パネルを提供することにある。
【課題を解決するための手段】
【０００４】
本発明の請求項１記載の発明は、上下方向あるいは左右方向に一列に連結した複数のパネル構成部材を備えており、パネル構成部材は、表示方向の一方側に位置する一方側壁部と他方側に位置する他方側壁部と一方側壁部と他方側壁部とをつなぐ小口側壁部とを有し、隣接する一方のパネル構成部材の一方側壁部は、他方のパネル構成部材と突き合わせる側の端縁部に円弧状の溝部を有すると共に、他方側壁部の他方のパネル構成部材と突き合わせる側の端縁部の他方側面に係合部を有しており、隣接する他方のパネル構成部材の一方側壁部は、前記溝部に係合する円弧状の突起部を有すると共に、他方側壁部の一方側面に前記係合部が係合する被係合部を有しており、一方のパネル構成部材と他方のパネル構成部材とが溝部と突起部の係合箇所を軸として回転し、係合部と被係合部とが係合するように形成してあることを特徴とする。
ここで係合部および被係合部は、互いが結合できる態様のものであればよく、例えば突起部、爪状部、あるいは形状の異なる部位同士が係合するもの、凸部と凹部が係合するものなど様々なものが想定できる。
【０００５】
本発明の請求項２記載の発明は、隣接する一方のパネル構成部材および他方のパネル構成部材の各々の他方側壁部には、小口側壁部よりも、隣接するいずれかのパネル構成部材側に向けて突出した突出片をそれぞれ設けてあり、係合部は、一方の突出片の一方側面の先端部に設けてあり、被係合部は、他方の突出片の他方側面の中間部に設けてあることを特徴とする。
【発明の効果】
【０００６】
本発明のうち請求項１記載の発明によれば、表示パネルを組み立てるときに、隣接する一方のパネル構造部材の一端部を他方のパネル構造部材の一端部に係合して軸とし、さらに一方のパネル構造部材を回動して他端部外側面に設けた他端側係合部は、他方のパネル構造部材の他端部内側面に設けた他端側被係合部に係合することで、バラした状態で搬送した各々のパネル構成部材を現場で容易に表示パネルに組み立てることができるとともに、一方のパネル構成部材と他方のパネル構成部材とが相反する方向に離脱せずに、これにより各パネル構成部材の係合状態が強固な表示パネルを提供できる。さらに溶接すべき箇所がほとんどなく、ほぼ係合工程のみで表示パネルを組み立てることができるので、パネル構成部材間に隙間やズレが生じないので表示パネルの意匠性がよい。
【０００７】
また本発明のうち請求項２記載の発明によれば、係合部が一方の突出片の他方側面の先端部に設けてあり、被係合部が他方の突出片の一方側面の中間部に設けてあることで、一方のパネル構成部材と他方のパネル構成部材とを係合するときに、係合部が他方の突出片の一方側面に沿って案内されながら、この突出片の中間部に設けた被係合部に係合することにより、表示パネルの組み立てが一層容易に行える。しかも、係合部と被係合部とが係合したときには「カチッ」と金属音が生じるので、作業者は、一方のパネル構成部材と他方のパネル構成部材とが確実に係合していることを聴覚的に確認できる。以上のことから、組み立ての容易さと確実性を有することにより、道路標識などの比較的大型のパネル構成部材を用いる表示パネルにおいても施工性の向上が見込まれる。
【発明を実施するための最良の形態】
【０００８】
以下、本発明の表示パネルの実施形態を図面に基づいて説明する。
図１は、本発明の表示パネルの隣接するパネル構成部材１、２の係合状態を示す側面図であり、図２（ａ）は、「溝なし」のパネル構成部材１の側面図であり、図２（ｂ）は、「溝付き」のパネル構成部材２の側面図であり、図３（ａ）（ｂ）（ｃ）は、本発明の表示パネルの組み立ての手順を説明する側面図である。
本表示パネルは図４（ａ）（ｂ）に示すように、例として道路標識として適用するものであり、具体的には、地面から垂直に起立する本柱１５の上部に水平に延びる支柱１６，１６が上下に間隔をあけて２本配置してあり、この支柱１６，１６に補強部材１７および固定具１８によりパネル構成部材１、２を上下に複数係合した本表示パネルＡを取り付けるものである。
【０００９】
本発明の表示パネルを構成するパネル構成部材１、２のうち、図１のように、上下に隣接する一方のパネル構成部材１と他方のパネル構成部材２について説明する。
一方のパネル構成部材１は、表示方向の一方側に位置する側に一方側壁部３、そして表示方向の他方側に位置する側に他方側壁部４を平行に配置し、さらに一方側壁部３と他方側壁部４の上下方向の両側端部には、一方側壁部３と他方側壁部４をつなぐように小口側壁部１１ａ，１１ｂを各々設けており、縦断面して縦長略矩形状をなす中空の構造体を形成する。
【００１０】
パネル構成部材１，２は、本実施のものでは図２（ａ）に示すような「溝付き」のものと、図２（ｂ）に示すような「溝なし」のものとがあり、このうち「溝付き」のものは、パネル構成部材２の上下方向の略中間部の他方側面Ｑに支柱１６に取り付けた補強部材１７を嵌合するための略水平方向に延びる凹溝１２を有している。
一方および他方のパネル構成部材１、２の一方側壁部３の両小口側壁部１１ａ，１１ｂよりも上方あるいは下方に突出した位置のうち、上方の小口側壁部１１ａの側には、半円弧状の突起部６を有しており、下方の小口側壁部１１ｂの側には、半円弧状の溝部５を設けている。また、他方側壁部４の両小口側壁部１１ａ，１１ｂよりも上方あるいは下方に突出した位置のうち、上方の小口側壁部１１ａの側には、上向きにほぼ垂直に突出した上向き突出片（他方の突出片）８を有しており、下方の小口側壁部１１ｂの側には、下向きにほぼ垂直に突出した下向き突出片（一方の突出片）７を有している。そして上向き突出片（他方の突出片）８には、上下方向の中間部に一方側面Ｐに突出する被係合部１０を有しており、下向き突出片（一方の突出片）７は、突出先端側の下端縁に一方側面に向けて突出した係合部９を有すると共に、他方側壁部４の他方側面Ｑよりも一方側面Ｐに寄る側に奥まった位置に設けてあり、これにより、下向き突出片（一方の突出片）７と他方側壁部４により段状の切欠部１３を形成している。
【００１１】
前述した隣接する一方のパネル構成部材１と他方のパネル構成部材２を係合状態について、以下にさらに詳しく説明する。
図１（ｂ）の要部拡大図で示すように、前記溝部５は、一方側壁部３からそのまま垂直下向きに延びる一方側溝形成壁５ａと、一方側壁部３の上下方向の中間部から他方側面Ｑに向けて延びて半円弧状に湾曲した他方側溝形成壁５ｂとからなっており、一方側溝形成壁５ａの下端部には、溝部５内に突出する凸部５ｃを設けてある。そして下向き突出片（一方の突出片）７は、下方の小口側壁部１１ｂの他方側端縁に設けてあり、下方の小口側壁部１１ｂは、一方側壁部３から他方側壁部４に向けて上向きに傾斜して各々をつなぐものであり、下向き突出片（一方の突出片）７は、小口側壁部１１ｂの傾斜した頂部から垂直に下向きに延びている。また下向き突出片（一方の突出片）７の下端部には、他方側面Ｑに向けて突出した爪状の係合部９を有している。また他方側溝形成壁５ｂは、一方側溝形成壁５ａに比べて長く形成してあり、後述するが、突起部６を引っ掛けやすいものとなっている。
これに対して、隣接する他方のパネル構成部材２の突起部６は、一方側壁部３からそのまま垂直上向きに突出する一方側突出部形成壁６ａと、この一方側突出部形成壁６ａの上下方向の中間部から上向きに突出し、且つ、他方側面Ｑに向けて半円弧状に湾曲した他方側突出部形成壁６ｂとからなっている。また他方側壁部４には、上方の小口側壁部１１ａを越えて上向きに垂直に延びる上向き突出片（他方の突出片）８を設けてある。この上向き突出片（他方の突出片）８の先端部は、一方側面Ｐに向けてほぼ直角に屈曲しており、また上向き突出片（他方の突出片）８の上下方向の中間部には、一方側面Ｐに向けて突出した爪状の被係合部１０を有している。
尚、係合部９および被係合部１０は、各々が対向する側部にテーパ部を有しており、このテーパ部は、係合部９と被係合部１０とが離れる方向に上り勾配で傾斜しており、テーパ部の頂部からさらに離れる側は、ほぼ直角に切り欠かれている（図１（ｂ）参照）。
【００１２】
そして、一方のパネル構成部材１と他方のパネル構成部材２とを係合するときには、まず突起部６が溝部５に入り込むが、このときに図３（ａ）（ｂ）のように、突起部６を構成する他方側突出部形成壁６ｂの先端部は、溝部５の凸部５ｃと当接する（図３（ｂ）参照）。また他方側突出部形成壁６ｂと他方側溝形成壁５ｂも湾曲面同士が当接して摺動し、互いの当接する箇所（係合箇所）Ｒにより回転する。
このとき下向き突出片（一方の突出片）７は、上向き突出片（他方の突出片）８の一方側面Ｐに沿って次第に小口側壁部１１ａに寄る方向に案内されていき、係合部９が被係合部１０に当接したときには、下向き突出片（一方の突出片）７と上向き突出片（他方の突出片）８とが互いに相反する方向に弾性変形し、係合部９が被係合部１０を乗り越えたときには、下向き突出片（一方の突出片）７と上向き突出片（他方の突出片）８とが弾性復帰して「カチッ」という金属音とともに係合する。最終的に図３（ｃ）のように、溝部５と突起部６の係合箇所Ｒおよび係合部９と被係合部１０の両方の箇所にて係合し、一方のパネル構成部材１と他方のパネル構成部材２とを係合する。さらに、一方のパネル構成部材１の切欠部１３に他方のパネル構成部材２の上向き突出片（他方の突出片）８の先端屈曲部１４が当接し、隣接する両パネル構成部材１、２の係合状態が一層強固なものとなる。以上の作業を他のパネル構成部材１，２において次々に係合していくことにより表示パネルＡ（図４（ｂ）参照）が完成することになる。ここで完成した表示パネルは、支柱に連結して道路標識とする他、建物の壁面に取り付けたブラケットで支持することで店舗看板などにも適用できる。
【００１３】
本発明の表示パネルは、本実施形態で例示した道路標識の他に、例えば店舗看板や案内標識等にも適用できる。また請求項および本実施形態では、表示パネルの表示する方向について一方側と他方側としているが、この表現には例えば、一面側のみの表示面を有する標識等であれば表示面側と非表示面側、店舗であれば室内側と室外側などの関係も含まれる。
【図面の簡単な説明】
【００１４】
【図１】（ａ）は、本発明の表示パネルの隣接するパネル構成部材の係合状態を示す側面図であり、（ｂ）は（ａ）中の円部分を拡大した側面図である。
【図２】（ａ）は、溝付きのパネル構成部材の側面図であり、（ｂ）は、溝なしのパネル構成部材の側面図である。
【図３】（ａ）（ｂ）（ｃ）は、本発明の表示パネルの組み立ての手順を説明する要部を拡大した側面図である。
【図４】（ａ）は、本発明の表示パネルを適用した道路標識の全体を示す正面図であり、（ｂ）は、そのうちの表示パネルのみを示す背面視した斜視図である。
【符号の説明】
【００１５】
１  一方のパネル構成部材
２  他方のパネル構成部材
３  一方側壁部
４  他方側壁部
５  溝部
６  突起部
７  下向き突出片（一方の突出片）
８  上向き突出片（他方の突出片）
９  係合部
１０  被係合部
１１ａ  上方の小口側壁部（小口側壁部）
１１ｂ  下方の小口側壁部（小口側壁部）
Ｐ  一方側面
Ｑ  他方側面
Ｒ  係合箇所
【図１】
2009002024.tif 000003
【図２】
2009002024.tif 000004
【図３】
2009002024.tif 000005
【図４】
2009002024.tif 000006